(57)【要約】　　　（修正有）【課題】金属材、合成樹脂などを素材とする産業廃棄物や粗大ゴミ等の生活廃棄物を破砕処理する竪型破砕機において、その回転主軸の上部に設けられている固定ハンマが摩耗した時に、その重量バランスを簡単に調整できるようにすること。【解決手段】ケーシングの中央部に竪方向の回転軸を設け、該回転軸の上部に固定ハンマを設けた竪型破砕機において、前記固定ハンマのハンマブレードを支持するアーム部１０ａ，１０ｂに、バランス調整用のウエイト４２を取り付けることのできる中空部４０を設け、この中空部にハンマブレードの摩耗量に相当するウエイトを収納保持できるようにした。上記中空部は、固定ハンマに設けられるカバーライナで覆蓋する。【選択図】　　　　図４
2004074044.tif 000002
【特許請求の範囲】
【請求項１】
ケーシングの中央部に縦方向の回転軸を設け、該回転軸の上部に固定ハンマを設けた竪型破砕機において、前記固定ハンマのハンマブレードを支持するアーム部に、バランス調整用のウエイトを取り付けることのできる中空部を設けたことを特徴とする竪型破砕機。
【請求項２】
中空部が横方向に形成され、その開口部がアーム部に取り付けられる着脱可能なハンマブレードで覆蓋される請求項１に記載の竪型破砕機。
【請求項３】
固定ハンマのハンマーブレードの摩耗しやすい部分に摩耗の指標となる目盛を設けた請求項１又は２に記載の竪型破砕機。
【請求項４】
中空部が縦方向に形成され、その開口部が着脱自在なカバーライナで覆蓋される請求項１に記載の竪型破砕機。
【発明の詳細な説明】
【０００１】
【発明の属する技術分野】
本発明は、金属材、合成樹脂などを素材とする産業廃棄物や粗大ゴミ等の生活廃棄物を破砕処理する竪型衝撃式破砕機に関するものであり、より詳しくは、その固定ハンマのバランス調整機構に関するものである。
【０００２】
【従来の技術】
上部に被破砕物の投入口が設けられたケーシングの内部に、複数の打撃子（ハンマー）を取り付けたロータを設けるとともに、ケーシングの内周部には反撥板（ブレーカープレート）を設けて、前記ロータに設けた打撃子と前記反撥板とで被破砕物を衝撃破砕する竪型破砕機が広く使用されている。
【０００３】
図１乃至図３は、この竪型破砕機を例示するもので、この破砕機１は、ベース３の上に、ケーシング２を構成する円筒状のアッパフレーム２ａと、該アッパフレームの下側に結合された円筒状のメインフレーム２ｂとが設けられている。アッパフレーム２ａ及びメインフレーム２ｂの中心部には竪向きの回転軸である主軸４が設けられており、該主軸４にはアッパロータ５、センタロータ６、ロアロータ７が設けられている。アッパロータ５には固定ハンマ１０を構成する直径方向のアーム部１０ａ，１０ｂが上下段違いに設けられ、該アーム部１０ａ，１０ｂの左右両側にはそれぞれハンマブレード１１，…が取り付けられており、該アーム部１０ａ，１０ｂの上面部にはカバーライナ１２が取り付けられている。
【０００４】
一方、センタロータ６とロアロータ７との間にはハンマピン１４が取り付けられて、中央部に該ハンマピン１４の外径よりも大きい穴１５ａが設けられた複数（図では３２個）のリングハンマ１５，…が遊嵌されている。
【０００５】
また、前記アッパフレーム２ａの内周面には、アッパライナ１６とロアライナ１７が設けられ、これらライナ１６，１７と前記ハンマーブレード１１、リングハンマ１５の間が破砕用空間となっている。
【０００６】
前記メインフレーム２ｂの上下中間部には、一部が切り欠かれて排出口３０となったテーブル２０が設けられている。このテーブル２０にはロアロータ７の回りにテーブルライナ２１が設けられ、その上側にスクレーパ２３が設けられている。スクレーパ２３は、スクレーパピン２４によって前記ロアロータ７に取り付けられている。また、メインフレーム２ｂと、その下側に設けられている前記ベース３の中央部には、ベアリングケーシング２７が設けられ、このベアリングケーシング内に設けたベアリング２８によって前記主軸４が支承されている。主軸４の下端部にはプーリ２９が取り付けられており、このプーリに巻き掛けたベルトによりモータの回転力が該主軸４に伝達されるようになっている。
【０００７】
この破砕機１を用いて産業廃棄物等の被破砕物を破砕するには、主軸４を回転させつつ、アッパフレーム２ａの上端開口部（投入口）２ｃから被破砕物を投入する。この被破砕物は、前記ハンマブレード１１、ハンマーリング１５とアッパーライナ１６、ロアライナ１７との間で破砕され、ロアロータ７とケーシング内面のライナとの間隔部１８を通って、テーブル２０上に設けられているテーブルライナ２１上に落下する。落下した被破砕物は、スクレーパ２３によって掻き集められ、排出口３０から排出される。
【０００８】
【発明が解決しようとする課題】
この破砕機１の前記固定ハンマ１０は、主軸４の上部に取り付けられているが、この主軸４はその下部でベアリングによって支持されているので、摩耗によって重量バランスが狂った時は、主軸に無理な力がかかり回転時に振動が発生する場合がある。とくに、上記のように段違いに設けられている固定ハンマは、形状が非対象的であるから、運転による摩耗状態が左右で異なり、アンバランスが生じやすいという問題があった。
【０００９】
この種の破砕機では、フレームに取り付けられているライナや、上記リングハンマを取り替える工事を定期的に行っているので、この工事の際に固定ハンマのバランス調整をを溶接等で行うことができる。しかしながら、溶接工事によるバランス調整は、大変な手間と時間がかかるため、一旦運転に入った後にアンバランスとなった場合は、この方法でバランス調整を行うことは困難である。
【００１０】
回転を伴う破砕機のバランス調整を行う方法として、例えば遠心破砕機の場合は、ロータの底部に取付部を三か所設け、各取付部にバネと適当数のバランスウエイトを挿入することによりロータのバランス調整を行う方法が提案されている（特開平６−１２６１９９号）。しかしながら、竪型破砕機の固定ハンマのハンマブレードはそれ自身大きな衝撃を受けるもので、しかもこのようなウエイトを取り付けるスペースがないため、上記バランス調整法をそのまま採用することは考えられなかった。そこで本発明は、竪型破砕機の固定ハンマの摩耗によるアンバランスを比較的簡単に修正できるようにすることを課題としている。
【００１１】
【課題を解決するための手段】
上記課題を解決するため、本発明は次のような構成を採用した。すなわち、本発明にかかる竪型破砕機は、ケーシングの中央部に縦方向の回転軸を設け、該回転軸の上部に固定ハンマを設けた竪型破砕機において、前記固定ハンマのハンマブレードを支持するアーム部に、バランス調整用のウエイトを取り付けることのできる中空部を設けたことを特徴としている。
【００１２】
本発明にかかる竪型破砕機では、固定ハンマのハンマブレードを取り付けるアーム部に中空部を設け、この中空部に任意の重量のウエイトを適当数だけ収納保持することができるので、ハンマブレードが摩耗した重量に相当するウエイトをこの中空部に入れることにより、簡単に重量バランスを調整することができる。このためには、ハンマブレードの摩耗量を簡単に知ることのできる手段として、ハンマブレード自体にその摩耗量を表示する目盛を設けておくのが好ましい。この目盛と、摩耗重量との関係を予め調査しておくことにより、摩耗量に相当する重量を直ちに知ることができる。なお、ウエイトを収納する中空部は、固定ハンマのアーム部に設けられているカバーライナ又はハンマーブレード自体で覆蓋するようにしておくと、特別の蓋材が不要となるので便利である。
【００１３】
【発明の実施の形態】
以下、図面にあらわされた本発明の実施形態に基づいて、本発明をより具体的に説明する。
【００１４】
この竪型破砕機１の基本的構造は、図１に基づいてすでに説明したとおりであり、上部に投入口を有するケーシング２として、円筒状のアッパフレーム２ａと、該アッパフレームの下側に結合された円筒状のメインフレーム２ｂとが設けられている。アッパフレーム２ａ及びメインフレーム２ｂの中心部には竪向きの回転主軸４が設けられており、該主軸４にアッパロータ５、センタロータ６、ロアロータ７が設けられている。アッパロータ５には、図４、図５に例示するように、固定ハンマ１０を構成する直径方向のアーム部１０ａ，１０ｂが上下段違いに設けられ、該アーム部１０ａ，１０ｂの先端部の左右両側にはそれぞれハンマブレード１１，…が取り付けられている。アーム１０ａ，１０ｂの外面部は着脱可能なカバーライナ１２（図４は取り外した状態）で覆われている。
【００１５】
この竪型破砕機１の固定ハンマ１０には、該固定ハンマ１０を構成するアーム部１０ａ，１０ｂの中間部であってブレード取付け位置から近い位置に、それぞれ左右横方向（水平方向）の円形の穴からなる中空部４０が設けられている。この中空部４０は、アーム部１０ａ，１０ｂの両側面部に取り付けられるハンマブレード１１によって覆蓋されるようになっている。
【００１６】
上記中空部４０に収納されるバランスウエイト４２は、任意の形状でよいが、重ね合わせて収納できるように、例えば図４（ｃ）に示すような円板状のものとしておくのが好ましい。同図中最上部は平面図を表し、それ以外は側面図を表している。なお、中空部４０内に入れたウエイトが遊ばないように、ゴム等のパッキン材を入れておくのが好ましい。中空部４０の内周部、底部等にゴム等の衝撃吸収可能な材料によるライニングを施しておくのも効果的である。
【００１７】
図７は、上記図４の実施形態と若干異なる例を表すもので、この実施形態では、アーム部１０ａ，１０ｂに縦方向の中空部４０’が設けられている。この場合は、この中空部４０’がアーム部に取り付けられる着脱自在なカバーライナ１２で覆蓋される。この場合も、上記パッキン材、衝撃吸収可能なライニングを施しておくのが好ましい。
【００１８】
この竪型破砕機１は、上記のとおり、固定ハンマのアーム部１０ａ，１０ｂにバランスウエイトを収納することのできる中空部４０（４０’）が設けられているので、固定ハンマのハンマブレード１１が摩耗したときは、その摩耗分に相当する重量のバランスウエイトを中空部４０（４０’）に挿入することにより、簡単にバランス調整することができる。例えば、使用前のブレード１１の重量をＧ（ｋｇ）とし、図の左側のブレード１１の摩耗量をＡ（ｋｇ）、右側のブレード１１の摩耗量をＢ（ｋｇ）とすると、現在使用中の左側のブレードの重量は（Ｇ−Ａ）（ｋｇ）、右側のブレードの重量は（Ｇ−Ｂ）（ｋｇ）であるから、それぞれの側に挿入するウエイトの重量はそれぞれＡ（ｋｇ）及びＢ（ｋｇ）とすればバランスが取れることになる。このように両側のアーム部にウエイトを加える代りに、例えばＡ＞Ｂの場合は、右側にはウエイトを付加せず、左側だけに（Ａ−Ｂ）（ｋｇ）のウエイトを入れてバランスを取ることもできる。このように、ブレード１１の摩耗量に応じた重量のウエイトを入れることによりバランスを取ることができるのは、中空部４０（４０’）の位置がブレード取付け位置から近いためである。
【００１９】
ところで、使用により摩耗した固定ハンマ１０にウエイト４２を加えてバランスをとるためには、ハンマブレードの摩耗量を簡単に知る方法が必要となる。ハンマブレード１１の摩耗量を知る方法としては、ハンマブレードを外して重量を直接測定する方法や、当該ハンマブレードの肉厚を測定する方法や、最も摩耗しやすい箇所に複数の突起や溝を設けておき、それらが消滅した数により摩耗量を判定する方法を採用することができる。図示例では、その摩耗しやすい部分に、摩耗量を表示する目盛５０が刻設されている。この目盛は、適当間隔、例えば数ｍｍ〜数十ｍｍ間隔で設けておけばよい。なお、左右のハンマブレードは、同じ形状のものを向きを左右反転して取り付けるため、上記目盛も両側に設けておくのが好ましい。
【００２０】
実際に固定ハンマ１０の重量バランスを調整するには、破砕機の運転を停止してハンマブレード１１の摩耗量を調べる。このハンマブレードには、摩耗した重量を示す目盛が付されているので、その目盛から直ちに摩耗重量を知ることができる。摩耗重量がわかったら、ハンマブレード又は前記アーム部１０ａ，１０ｂに取り付けられているカバーライナを取り外し、当該摩耗重量に相当するバランスウエイト４１を中空部４０（４０’）内に入れて再度ハンマーブレード（カバーライナ）を取り付ける。この操作を両側のハンマーブレードに対して行えば、固定ハンマの重量バランスを簡単に取ることができる。このように、左右両側のアーム部に対してウエイトを加える代りに、左右の摩耗量の差だけ摩耗の多い方に付加してもよい。
【００２１】
【発明の効果】
以上に説明した如く、本発明にかかる竪型破砕機は、その固定ハンマにバランスウエイトを収納保持できる中空部４０（４０’）が設けられているので、ハンマの摩耗量に相当する重量のウエイトを両側の中空部に入れるか、又は左右の摩耗量の差に相当するウエイトを摩耗の多い側に入れることにより、溶接を行わずに簡単に重量バランスを修正することが可能となった。図示例のように、ハンマブレードにその摩耗量を示す目盛を設けておけば、一見して摩耗量を知ることができるので便利である。また、バランスウエイト収納用の中空部４０（４０’）の開口部を、アーム部に取り付けられる着脱可能なハンマーブレード（カバーライナ）で覆蓋するようにしておけば、別途蓋材を設けなくてもよいので経済的である。
【図面の簡単な説明】
【図１】竪型破砕機の平面図である。
【図２】その正面図である。
【図３】その要部の縦断面図である。
【図４】固定ハンマの平面図（ａ）と正面図（ｂ）、及びウエイトの説明図（ｃ）である。
【図５】固定ハンマの斜視図である。
【図６】ハンマブレードの斜視図である。
【図７】上記と異なる固定ハンマの平面図（ａ）と正面図（ｂ）である。
【符号の説明】
１　　　　　　　竪型破砕機
２　　　　　　　ケーシング
３　　　　　　　ベース
５　　　　　　　アッパロータ
６　　　　　　　センタロータ
７　　　　　　　ロアロータ
１０　　　　　　　固定ハンマ
１０ａ，１０ｂ　　アーム部
１１　　　　　　　ハンマブレード
４０（４０’）　　中空部
４２　　　　　　　バランスウエイト
【図１】
2004074044.tif 000003
【図２】
2004074044.tif 000004
【図３】
2004074044.tif 000005
【図４】
2004074044.tif 000006
【図５】
2004074044.tif 000007
【図６】
2004074044.tif 000008
【図７】
2004074044.tif 000009